(57)【要約】      （修正有）【課題】おしゃれなハイヒールと、快適なローヒールに変換可能な靴を提供する。【解決手段】変換可能靴は、固定フック部４４８、固定フック部に対向して配置された可動フック部４５０、および可動フック部を後退位置と伸長位置との間で動かすアクチュエータ４５２を有するヒール受け４４６を含むソール４０２と、固定フック部と係合する第１の凹部および可動フック部と係合する第２の凹部を含み、ヒール受けと係合する時、可動フック部が伸長位置にある場合、ヒール部はヒール受けに固着され、可動フック部が後退位置にある場合、ヒール部はヒール受けから解放可能である、交換可能なハイヒール部４０４およびローヒール部とを備える。【選択図】図３６
0003230390.tif 000002
【実用新案登録請求の範囲】
【請求項１】
固定フック部、前記固定フック部に対向して配置された可動フック部、および前記可動フック部を後退位置と伸長位置との間で動かすように構成されたアクチュエータを有するヒール受けを含むソールと、
第１のヒール部および第２のヒール部であって、前記第１および第２のヒール部の各々は、前記固定フック部と係合するように構成された第１の凹部および前記可動フック部と係合するように構成された第２の凹部を含み、その結果、前記ヒール部が前記ヒール受けと係合すると、（ａ）前記可動フック部が前記伸長位置にある場合、前記ヒール部は前記ヒール受けに固着され、（ｂ）前記可動フック部が前記後退位置にある場合、前記ヒール部は前記ヒール受けから解放可能である、第１のヒール部および第２のヒール部と
を備える履物物品であって、
前記第１のヒール部が前記ソールの前記ヒール受け部に固着される第１の構成と、前記第２のヒール部が前記ソールの前記ヒール受け部に固着される第２の構成との間を移行可能である、
履物物品。
【請求項２】
前記ヒール受けは前記固定フック部と前記可動フック部との間の第３の凹部をさらに備え、前記第１および第２のヒール部の各々は、前記第１の凹部と前記第２の凹部との間から突出するくさびをさらに備え、その結果、前記くさびは前記ヒール受けの前記第３の凹部と嵌合するように構成される、請求項１に記載の履物物品。
【請求項３】
前記ソールは、アウトソールに結合されたインソールをさらに含み、前記インソールのより厚い部分は、ユーザの中足趾節関節に対応する前記ソールの領域中の前記アウトソールの凹部中に伸びる、請求項１に記載の履物物品。
【請求項４】
前記可動フック部は、前記伸長位置に向かって付勢される、請求項１に記載の履物物品。
【請求項５】
前記可動フック部は、前記ヒール受けの内部空洞によって収容される本体を備え、前記可動フック部は、前記可動フック部の前記本体と前記空洞の壁部との間に伸びる反発性部材によって前記伸長位置に向かって付勢される、請求項４に記載の履物物品。
【請求項６】
前記反発性部材は、前記可動フック部から突出し、前記可動フック部と一体の、１つ以上の反発性指部を備える、請求項５に記載の履物物品。
【請求項７】
前記１つ以上の指部は、前記可動フック部の後面にわたって伸び、その結果、前記１つ以上の指部の遠位端は、前記本体に向かって反発性枢動可能である、請求項６に記載の履物物品。
【請求項８】
固定フック部、前記固定フック部に対向して配置された可動フック部、および前記可動フック部を後退位置と伸長位置との間で動かすように構成されたアクチュエータを有するヒール受けを含むソールと、
第１のヒール部および第２のヒール部であって、前記第１および第２のヒール部の各々は、前記固定フック部と係合するように構成された第１のリップおよび前記可動フック部と係合するように構成された第２のリップを有する、第１のヒール部および第２のヒール部と
を備える履物物品であって、
前記第１のヒール部が前記ソールの前記ヒール受け部に固着される第１の構成と、前記第２のヒール部が前記ソールの前記ヒール受け部に固着される第２の構成との間を移行可能である、
履物物品。
【請求項９】
前記ヒール受けは、前記固定フック部と前記可動フック部との間の凹部をさらに備え、前記第１および第２のヒール部の各々は、前記第１のリップと前記第２のリップとの間で前記それぞれのヒール部から突出するくさびを含み、その結果、前記凹部は前記くさびを収容するように構成される、請求項８に記載の履物物品。
【請求項１０】
前記第１のヒール部は前記第２のヒール部より背が高く、その結果、前記履物物品は、前記第１の構成にある場合、前記第２の構成に比べて高いヒールの靴を備える、請求項８に記載の履物物品。
【請求項１１】
前記可動フック部は、前記伸長位置に向かって付勢される、請求項８に記載の履物物品。
【請求項１２】
前記可動フック部は、前記ヒール受けの内部空洞によって収容される本体を備え、前記可動フック部は、前記可動フック部の前記本体と前記空洞の壁部との間に伸びる反発性部材によって前記伸長位置に向かって付勢される、請求項１１に記載の履物物品。
【請求項１３】
前記反発性部材は、前記可動フック部から突出し、前記可動フック部と一体の、１つ以上の反発性指部を備える、請求項１２に記載の履物物品。
【請求項１４】
前記１つ以上の指部は、前記可動フック部の後面にわたって横方向に伸び、その結果、前記１つ以上の指部の遠位端は、前記本体に向かって反発性屈曲可能である、請求項１３に記載の履物物品。
【請求項１５】
固定フック部、前記固定フック部に対向して配置された可動フック部、および前記可動フック部を後退位置と伸長位置との間で動かすように構成されたアクチュエータを有するヒール受けを含むソールと、
第１のヒール部が前記ヒール受けと係合すると、（ａ）前記可動フック部が前記伸長位置にある場合、前記第１のヒール部は前記ヒール受けに固着され、（ｂ）前記可動フック部が前記後退位置にある場合、前記第１のヒール部は前記ヒール受けから解放可能であるように構成された第１の上部インターフェースを有する第１のヒール部と
を備える履物物品。
【請求項１６】
第２の上部インターフェースを有する第２のヒール部をさらに備え、前記上部インターフェースの各々は、前記固定フック部と係合するように構成された第１のリップおよび前記可動フック部と係合するように構成された第２のリップを備える、請求項１５に記載の履物物品。
【請求項１７】
前記ヒール受けは、前記固定フック部と前記可動フック部との間で突出するくさびをさらに備え、前記第１および第２のヒール部の各々は、前記第１のリップと前記第２のリップとの間の凹部をさらに備え、前記凹部は前記くさびを収容するように構成される、請求項１６に記載の履物物品。
【請求項１８】
前記可動フック部は、前記伸長位置に向かって付勢される、請求項１５に記載の履物物品。
【請求項１９】
前記可動フック部は、前記ヒール受けの内部空洞によって収容される本体を備え、前記可動フック部は、前記可動フック部の前記本体と前記空洞の壁部との間に伸びる反発性部材によって前記伸長位置に向かって付勢され、前記反発性部材は、前記可動フック部から突出し、前記可動フック部と一体の、１つ以上の反発性指部を備える、請求項１８に記載の履物物品。
【請求項２０】
前記１つ以上の指部は、前記可動フック部の後面にわたって伸び、その結果、前記１つ以上の指部の遠位端は、前記本体に向かって反発性枢動可能である、請求項１９に記載の履物物品。
【考案の詳細な説明】
【技術分野】
【０００１】
本開示は履物に関する。より具体的には、開示された実施形態は、靴および他の履物をハイヒールおよびローヒール構成間で変換するためのシステムおよび方法に関する。
【背景技術】
【０００２】
流行および快適性は、常に両立するとは限らない。これは、女性の履物に関しては特に当てはまる。ハイヒールは、たいていの女性のクローゼットで主力であるが、合理的に設計された履物には及ばない。これらの靴の前部と後部の高さの差は、装飾のない平面上でさえ、ふらつきおよび滑りを引き起こす。これにもかかわらず、女性は、馬の背からより効果的に矢を放つことができるように乗り手が鐙を履いてその姿勢を確保するのを助けるという、ハイヒールの本来の目的がもはや存在しないけれども、これらのファッション哲学を着用し続ける。長年の間、ハイヒールはスチレットヒールおよびパンプスに進化し、多くの人がそのような靴を成功およびおそらく女性らしさのステータスシンボルと見なすような象徴的ブランディングに屈してきた。
【０００３】
不運なことに、高くなった履物の継続使用は、ふくらはぎ、膝、および腰などの体の他の領域に影響を与えながら、足底筋膜炎および神経腫などとして現れる多くの身体的な問題をもたらす。米国足病学会は、女性は、男性の４倍多く足の問題を抱えていることを報告している。ハイヒールは、履いて歩くには危険であり、歩道の格子等との直の摩擦係合を受ける。ハイヒールについて最も多い不満は、履いて歩くには遅く、快適でないことである。この理由で、多くの働く女性は、職場への行き帰りのための、ローヒールの靴またはウォーキング／ランニング型の靴といった２足目の靴を持ち運ぶ。靴は使用で汚れがたまるため、この方針は、２足目の靴を持ち運ぶ必要だけでなく、それを入れて運ぶためのバッグも必要とする。ハンドバッグを持ち運ぶたいていの女性にとって、これは両腕がふさがることを意味する。仕事のために毎日運ばなければならない、ラップトップコンピュータまたはタブレットなどのパーソナルコンピューティング装置もある場合、この状況は悪化する。
【０００４】
したがって、おしゃれなハイヒールと快適なローヒールとの間で変換され得る単一の靴１足は、履物産業の長年のニーズを満たすことになる。この新発明は、前述の問題を克服し、よくある職場のジレンマの解決法を提供する変換可能靴を開発するために、既知の技術および新技術を、独自および新規の構成で利用および組み合わせる。
【考案の概要】
【０００５】
本開示は、変換可能履物に関するシステム、装置、および方法を提供する。
【０００６】
いくつかの実施形態では、履物物品は、固定フック部、固定フック部に対向して配置された可動フック部、および可動フック部を後退位置と伸長位置との間で動かすように構成されたアクチュエータを有するヒール受けを含むソールと、第１のヒール部および第２のヒール部であって、第１および第２のヒール部の各々は、固定フック部と係合するように構成された第１の凹部および可動フック部と係合するように構成された第２の凹部を含み、その結果、ヒール部がヒール受けと係合すると、（ａ）可動フック部が伸長位置にある場合、ヒール部はヒール受けに固着され、（ｂ）可動フック部が後退位置にある場合、ヒール部はヒール受けから解放可能である、第１のヒール部および第２のヒール部と、を含んでよく、履物物品は、第１のヒール部がソールのヒール受け部に固着される第１の構成と、第２のヒール部がソールのヒール受け部に固着される第２の構成との間を移行可能である。
【０００７】
いくつかの実施形態では、履物物品は、固定フック部、固定フック部に対向して配置された可動フック部、および可動フック部を後退位置と伸長位置との間で動かすように構成されたアクチュエータを有するヒール受けを含むソールと、第１のヒール部および第２のヒール部であって、第１および第２のヒール部の各々は、固定フック部と係合するように構成された第１のリップおよび可動フック部と係合するように構成された第２のリップを有する、第１のヒール部および第２のヒール部と、を含んでよく、履物物品は、第１のヒール部がソールのヒール受け部に固着される第１の構成と、第２のヒール部がソールのヒール受け部に固着される第２の構成との間を移行可能である。
【０００８】
いくつかの実施形態では、履物物品は、固定フック部、固定フック部に対向して配置された可動フック部、および可動フック部を後退位置と伸長位置との間で動かすように構成されたアクチュエータを有するヒール受けを含むソールと、第１のヒール部がヒール受けと係合すると、（ａ）可動フック部が伸長位置にある場合、第１のヒール部はヒール受けに固着され、（ｂ）可動フック部が後退位置にある場合、第１のヒール部はヒール受けから解放可能であるように構成された第１の上部インターフェースを有する第１のヒール部とを含んでよい。
【０００９】
特徴、機能、および利点は、本開示の様々な実施形態において独立して達成され得るか、またはさらに他の実施形態と組み合わされ得、そのさらなる詳細は、以下の説明および図面を参照して理解され得る。
【図面の簡単な説明】
【００１０】
【図１】ハイヒールモードの例示的変換可能靴の側面斜視図である。
【図２】ローヒールモードの例示的変換可能靴の側面斜視図である。
【図３】ハイヒールモードの変換可能靴の側面図である。
【図４】ローヒールモードの変換可能靴の側面図である。
【図５】ハイヒールモードの変換可能靴の底面斜視図である。
【図６】ローヒールモードの変換可能靴の底面斜視図である。
【図７】ハイヒールモードの変換可能靴の分解底面斜視図である。
【図８】ローヒールモードの変換可能靴の分解底面斜視図である。
【図９】ロック／調節レバーを示す例示的摺動支持シャンクの正面斜視図である。
【図１０】代替ヒールロック機構を有するローヒールモードの変換可能靴の分解底面斜視図である。
【図１１】例示的支持シャンクトラックの斜視図である。
【図１２】ハイヒールモードの別の例示的変換可能靴の等角図である。
【図１３】図１２の靴の上面図である。
【図１４】図１２の靴の底面図である。
【図１５】図１２の靴の左側面図である。
【図１６】図１２の靴の第１の分解図である。
【図１７】図１２の靴の第２の分解図である。
【図１８】図１２の靴のヒール受け部の拡大等角図である。
【図１９】図１２の靴とともに使用するのに適した例示的ハイヒール部の断面図である。
【図２０】図１２の靴とともに使用するのに適した例示的ローヒール部の断面図である。
【図２１】ハイヒールモードの図１２の靴の断面図である。
【図２２】ローヒールモードの図１２の靴の部分断面図である。
【図２３】ローヒールモードの別の例示的変換可能靴の部分断面図である。
【図２４】ハイヒールモードの図２３の靴の部分断面図である。
【図２５】ハイヒールモードの別の例示的変換可能靴の等角図である。
【図２６】図２５の靴の上面図である。
【図２７】図２５の靴の底面図である。
【図２８】図２５の靴の左側面図である。
【図２９】図２５の靴の分解図である。
【図３０】図２５の靴のヒール受け部の拡大等角図である。
【図３１】図２５の靴とともに使用するのに適した例示的ハイヒール部の断面図である。
【図３２】図２５の靴とともに使用するのに適した例示的ローヒール部の断面図である。
【図３３】ハイヒールモードの図２５の靴の断面図である。
【図３４】ハイヒールモードの図２５の靴の部分断面図である。
【図３５】ローヒールモードの図２５の靴の部分断面図である。
【図３６】別の例示的変換可能靴の分解図である。
【図３７】図３６の靴とともに使用するのに適した例示的ハイヒール部の断面図である。
【図３８】図３６の靴とともに使用するのに適した例示的ローヒール部の断面図である。
【図３９】ハイヒールモードの図３６の靴の部分断面図である。
【考案を実施するための形態】
【００１１】
ハイヒールおよびローヒールモード間で変換可能であり、靴の底に対して位置変更可能な支持シャンクを有する靴、ならびに関連する方法の様々な態様および例が、以下に記載され、関連図面に示される。特に指定がない限り、本教示に従う変換可能靴および／またはその様々な構成要素は、本明細書に記載され、説明され、および／または組み込まれた構造、構成要素、機能性、および／または変形形態の少なくとも１つを含んでよいが、含まなくてもよい。さらに、具体的に除外されない限り、本教示に関連して本明細書に記載され、説明され、および／または組み込まれたプロセスステップ、構造、構成要素、機能性、および／または変形形態は、他の類似の装置および方法に含まれ得、開示された実施形態間で交換可能であることを含む。以下の様々な例の説明は、本質的に単に例示的なものであり、開示、その用途、または使用を限定することを意図するものではない。加えて、以下に記載される例および実施形態によって提供される利点は本質的に例示的なものであり、すべての例および実施形態が、同じ利点または同程度の利点を提供するわけではない。
【００１２】
この考案を実施するための形態には、以下の節：（１）定義、（２）概要、（３）例、構成要素、および代替物、（４）例示的組み合わせおよび追加の例、（５）利点、特徴、および利益、ならびに（６）結論が含まれ、すぐ下に続く。例、構成要素、および代替物の節は、小節Ａ〜Ｆにさらに分割され、各々それに従って表示されている。
【００１３】
定義
特に指示がない限り、以下の定義が本明細書に適用される。
【００１４】
「実質的に」は、用語によって修飾された特定の寸法、範囲、形状、概念、または他の態様におおむね一致することを意味し、その結果、特徴または構成要素は、正確に一致する必要はない。例えば、「実質的に円筒形の」物体は、物体が円筒に似ているが、真の円筒から１つ以上のずれを有してよいことを意味する。
【００１５】
「備える（ｃｏｍｐｒｉｓｉｎｇ）」、「含む（ｉｎｃｌｕｄｉｎｇ）」、および「有する（ｈａｖｉｎｇ）」（およびそれらの活用形）は、含むが必ずしも限定するわけではないことを意味するのに交換可能に使用され、追加の、列挙されていない要素または方法ステップの除外を意図しないオープンエンド用語である。
【００１６】
「第１」、「第２」、および「第３」などの用語は、群等の様々な構成員を区別または識別するのに使用され、連続性または数値の限定を示すことを意図しない。
【００１７】
「反発性」は、通常の動作負荷下（例えば、圧縮時）で弾性変形し、負荷を除くと元の形状または位置に復帰するように構成された材料または構造を表す。
【００１８】
「硬質」は、通常の動作条件下で、硬く、変形しない、または実質的に可撓性を欠くように構成された材料または構造を表す。
【００１９】
「ＡＫＡ」は、「別名」を意味し、所与の要素（単数もしくは複数）について代替用語または対応する用語を指示するのに使用されてよい。
【００２０】
「内側（ｉｎｂｏａｒｄ）」、「外側（ｏｕｔｂｏａｒｄ）」、「前部（ｆｒｏｎｔ）」、「後部（ｒｅａｒ）」（等）の方向用語は、本明細書に記載された構成要素が設置されるか、またはその他の方法で取り付けられてよい履物物品の文脈で理解されることを意図する。例えば、「外側」は、靴の中心線から横方向により遠い相対位置、または靴の長手方向中心線から離れる方向を指示してよい。反対に、「内側」は、中心線に向かう方向、または中心線により近い相対位置を指示してよい。同様に、「前方（ｆｏｒｗａｒｄ）」または「前部」は、履物のトゥ部の方向を意味し、「後部」または「後方（ｂａｃｋ）」は、履物のヒール部の方向を意味する。同様に、用語「長手方向」は、一般に履物のヒールからトゥ（長さ）方向を指し、一方、用語「横方向」は、一般に履物の左右（幅）方向を指す。ホスト履物物品がない場合、同じ方向用語は、物品が存在するかのように使用されてよい。例えば、分離して見た場合でも、構成要素は、構成要素が問題の側を靴のトゥ部の方向に面して取り付けられるという事実に基づいて、「前方」側を有してよい。
【００２１】
「結合される」は、直接的かまたは介在する構成要素を通して間接的かにかかわらず、永久にまたは解放可能に接続されることを意味する。
【００２２】
以下の用語は、靴または他の履物物品の部分に関する。
ａ．ブレスト：ソールのアーチの下の、ヒールの前方に面する部分。
ｂ．フェザー：アッパーの縁部がソールと接する靴の部分。
ｃ．ヒール：前部に対して靴の後部を高く上げるソールの部分。
ｄ．ヒールキャップ：地面と接触するヒールの部分。トップピースとも呼ばれる。
ｅ．インソール：アウトソール（または任意の介在ソール、例えばミッドソール）と着用者の足との間の層を形成する、靴の内部に存在する材料の層。
ｆ．アウトソール：地面と接触するソールの露出部分。
ｇ．シート：靴の中で足の踵が乗る場所。
ｈ．シャンク：ソールアセンブリを土踏まずに対して位置付けるように、ソールの外面とインソールの内面との間のどこかに挿入された硬質材料片。
ｉ．ソールアセンブリ：着用者の足の下に存在する靴の部分。アッパー、ソール、およびヒールが靴全体を作り上げる。
ｊ．アッパー：足を覆う靴の部分。
ｋ．ウェルト：アッパーをソールにつなぐ材料片。ミッドソールであってもよく、またはある靴の設計では排除されてもよい。
【００２３】
概要
ローヒールからハイヒールでの歩行に移ると、足は、基節骨底と中足骨頭との間に位置する中足趾節関節で屈曲する。次いで、足底筋膜が、足根骨の真下で伸ばされる。したがって、人のより少ない体重が踵骨によって支えられ、より多くの体重が中足骨によって支えられる。つま先歩行のように、これは、この足底筋膜を緊張させる。時間の経過とともに、この緊張は足を疲労させる。この理由で、ハイヒール靴は、一般に、荷重の一部を中足骨頭から移して足骨構造の残りの部分上に戻すために靴の長手方向中心線に沿って伸びる、硬質材料で作られた支持シャンクを有する。支持シャンクはまた、一般に、足底筋膜をわずかに曲げ、その中心の点応力を減少させるように機能する、その長さに沿ったわずかな弧を有する。通常の歩行では、ハイヒールかまたはローヒールかにかかわらず、足は、中足趾節関節で曲がり、屈曲しなければならない。この理由で（足とともに靴が曲がることを可能とするために）、支持シャンクの近位端は、基節骨底の後ろのどこかから始まり、その遠位端は、踵骨の下のどこかで終わる。明らかな理由で、この支持シャンクは、（アウトソール／ミッドソール／インソールアセンブリの厚さを最小限に保つために）薄く、かつ（脚の疲労を最小限に保つために）軽量の両方でなければならない。ハイヒール靴では、支持シャンクの近位端は、基節骨底のすぐ後ろから始まり、一方、ローヒール靴では、支持シャンクの近位端は、基節骨底からさらに離れて位置し、遠位端は、より踵骨の後部の近くに位置する。ローヒールでの歩行時、支持シャンクは、荷重の一部を足の前部から移動させ、ハイヒールでの歩行時、支持シャンクは、荷重の一部を足の後部から移動させる。支持シャンクはまた、靴がその全体形状を保つのを助け、その結果、ヒールキャップがその面にわたって均等に地面と接する。
【００２４】
支持シャンクがたどるが長手方向の弧は、靴の設計およびヒールの高さによって変わる。支持シャンクがなければ、靴はすぐに壊れ、歩行は退屈で、快適でないものとなる。ヒールの高さが増加すると、足および靴の本体の両方を適切に支持するために、足の支持体は、より前方に（中足趾節関節に向かって）に動かされてよい。この理由で、ハイヒール靴およびローヒール靴の構造設計は、支持シャンクの異なる内部配置を必要とし得る。
【００２５】
概して、本明細書に開示されるような変換可能靴は、ユーザがヒール部を容易に交換することを可能とするヒール取り付け機構を含んでよく、それにより、履物をハイヒールおよびローヒール構成またはモード間で変換する。上で議論されたように、支持シャンク（支持体および／または芯とも呼ばれる）が、本開示の靴および他の履物の中に存在し、この支持シャンクは、靴の１つ以上の残りの部分に対して少なくとも部分的に可動である。さらに、可動支持シャンクは、選択された位置（例えば、前方位置および後方位置）に、靴のソールを通り、使用中、選択された位置を確実に維持するロック機構によって、ロックされてよい。いくつかの例では、ロック機構は、外部アクセス可能である。いくつかの例では、ロック機構の少なくとも一部は、交換可能なヒール部に統合される。
【００２６】
例、構成要素、および代替物
以下の節では、例示的変換可能靴、ならびに関連するシステムおよび／または方法の選択された態様について記載する。これらの節の例は、説明用であり、本開示の全範囲を限定するものとして解釈されるべきではない。各節は、１つ以上の別個の実施形態もしくは例、ならびに／または文脈もしくは関連情報、機能、および／もしくは構造を含み得る。
【００２７】
Ａ．第１の例示的変換可能靴
図１〜１１に示すように、この節では、例示的変換可能靴１について記載する。靴１は、上記の概要に記載された変換可能靴の例である。
【００２８】
図１、３、および５を見ると、ハイヒールモードの変換可能靴１の全体的な外観が最もよくわかる。図２、４、および６を見ると、ローヒールモードの変換可能靴１の全体的な外観が最もよくわかる。
【００２９】
変換可能靴１は、アッパー２、ソールアセンブリ８、およびロック可能摺動シャンクアセンブリ１２（図７参照）、シャンクロック手段、取り外し可能ハイヒール４、取り外し可能ローヒール６、およびヒールロック手段１４を有する。ヒール４および６は交換可能であり、靴への固着に同じロック手段を利用する。アッパー２は、従来の靴作製方法の通りに、型を取られ、ソールアセンブリ８に付けられてよい。
【００３０】
ロック可能摺動シャンクアセンブリ１２は、硬質シャンク１４、トラック１６、およびシャンクロック手段を含む。一般に、これらは、金属（例えば、鋼）またはポリマーなどの硬質材料を各々備えることになる。図９を見ると、この例のシャンク１６は、それが嵌合する特定の靴のアーチをたどる摺動動作に合わせてかたどられた線状の湾曲部材であることがわかる。シャンク１６は、単純に固体鋼屈曲板であってよいが、好ましい実施形態では、シャンク１６は、より薄く作製され、非直線状の軸方向断面を有する。この波型方式の構成は、重量を減少させながら強度を加える。図９、１０、および１１をともに考慮に入れると、シャンク１６は、凹状フランジ２２が両側に位置する中央凸状リブ２０を有することが理解される。シャンクロック手段は中央リブ２０から垂直に伸び、好ましい実施形態では、ロックレバー２６上の雌ねじと螺合するねじ付きスタッド２４である。ロックレバー２６は、そこから伸びるフランジ２８付き幅広ヘッドを有する。代替実施形態では、レバーとともに、またはレバーとは別に使用されてよい多くの他の方式およびタイプのロック機構がある。
【００３１】
トラック１６は、異なる構造の構成をとってよい。しかしながら、好ましい実施形態では、「Ｔ」トラックに似ている。凹状フランジ２２は、トラック１６の縁部の下に存在し、シャンク１４とトラック１６との間の摺動接触インターフェースとして機能する。トラックは、糊付け、縫い付け、機械的締結（設けられたオリフィス３０を参照）等によってソールアセンブリ８に付けられてよい。トラック１６の端部はキャップ３２を有し、靴がハイヒールまたはローヒール構成にある場合、キャップ３２の下にシャンク１４の遠位または近位端が存在する。これは、それらの端部でシャンク１４とトラック１６との間の任意の分離を機械的に防ぎ、歩行中、摺動シャンクアセンブリ１２を機能的に強化する。
【００３２】
図８を見ると、ソールアセンブリ８は、ともに接合された外部ソール３４および内部ソール３６を含み、任意選択で、内部ソール、ミッドソール、および外部ソールをつないでソールアセンブリ８にするように、その面の一方で外部ソール３４に接合され、その他方の面で内部ソール３６に接合されるミッドソール３８（またはウェルト）を含んでよい。好ましい実施形態では、トラック１６およびシャンク１４はミッドソール３８に存在するが、本明細書で議論されるように、それらの配置は、靴の設計に応じてソールアセンブリ８内で変わるであろう。外部ソール３４は、ねじ付きスタッド２４がそこを通ってロックレバー２６と螺合し得るスロット４０を有する。
【００３３】
ソールアセンブリ８は、いずれかのヒールに任意の好適な方法で取り付けられてよい。２つのそのような方法が、本明細書で議論および説明される。好ましい実施形態では（図１０参照）、外部ソール３４は、ヒール上部に形成された、嵌合して一致する陥凹に一致する凸状ディテント４２を有する。ヒールおよび凸状ディテント４２の両方は、組み立て時に位置合わせしてロックピンを受け入れるオリフィスをその中に有する。いくつかの実施形態では（図１０参照）、外部ソール３４中の位置合わせしたオリフィスを通るねじ付きピン４４は、ヒール中のねじ付き凹部と嵌合して係合する。類似方式の差し込みピン／継ぎ手が代用されてよい。
【００３４】
いくつかの実施形態では、ソールアセンブリ８の材料および設計に応じて、トラック１６は排除されてよく、アウトソール、ミッドソール、またはそれらの任意の組み合わせ中に部分的にまたは完全に形成された溝１８に置き換えられてよい（図８参照）。このトラックは、その中でシャンク１４のロック可能な摺動運動を可能とする大きさであろう。一般に、トラックの排除および溝の代用は、反発性の高い材料で作られたより厚いソールアセンブリ８でうまくいく。
【００３５】
操作では、着用者は、ハイヒールモードまたはローヒールモードを選択する。ローヒールモードを望む場合、ローヒール６を凸状ディテント４２の上に付け、ロックピンを位置合わせしたオリフィスに挿入する。ロックレバー２６を、靴１の後方（ヒール側）に向かって摺動する。これは、シャンクの遠位端がトラック１６の遠位端に達し、後部キャップ（図８および１０の斜視図では見えない）の下にくるまで、シャンク１４をトラック１６中で摺動させる。次いで、シャンクロックレバー２６を、そのフランジ２８が外部ソール３４と摩擦係合し、シャンク１４をローヒール位置に固着するように、きつくねじ留めする。（しかしながら、歩行動作は、シャンク位置ボタンに適切なヒールが据え付けられると、シャンク１４をその位置に保つように作用することに留意すべきである。レバー２６のロック機能は冗長機能であり、すべての実施形態で利用される必要はない。）ハイヒールモードに切り替えるために、ヒールを逆のプロセスによって取り換え、レバー２６をロック解除し、シャンク１４の近位端が前部キャップ３２の下にくるまで、靴１の前部（トゥ側）に向かって摺動する。レバー２６を、きつくねじ留めする。
【００３６】
ローヒールモードについて記載されたようなプロセスは、シャンク２６を動かし、結果として、より多くの体重が中足骨によって支えられ、足底筋膜の中間を支持することを可能とするように、中足趾節関節の下から靴１のさらに後方、踵骨の下への靴のアーチ支持体の移動をもたらす。多くの靴の様式が、ソールの厚さを「見た目」の設計に組み込み、プラットフォーム（厚いミッドソール）を使用する一方、他の様式はミニマリズムに注目し、ソールを最小の厚さに保ち、いかなるミッドソールも排除する。この理由で、好ましい実施形態は、支持シャンクトラック１６および支持シャンク１４をミッドソール３８中に示しているが、それらは、代わりに、インソール３６もしくはアウトソール３４中に位置してよいか、または３つのソール部分の任意の組み合わせ中に位置してよい。
【００３７】
同様の方法で、ハイヒールとローヒールを取り換えるためのシステム／機構は、靴の設計によって決まることになる。単純な中央に位置するねじ付きピン４４で示されているが、他の好適なヒールロック装置が利用されてよい（例えば、ロック板、蟻継ぎ基部、可動ピン、差し込み継ぎ手等）。
【００３８】
Ｂ．第２の例示的変換可能靴
図１２〜２２に示すように、この節では、例示的変換可能靴１００について記載する。靴１００は、上記の概要に記載された変換可能靴の別の例である。
【００３９】
靴１００を、図１２に垂直投影図で、図１３に上面図で、図１４に底面図で、図１５に側面図で示す。図１６および１７は、靴１００の様々な構成要素の分解図を示す。図１８は、靴のヒール受け部の拡大図であり、図１９および２０は、靴１００とともに使用するのに適した２つの異なるヒール部の断面図である。図２１は、図１９のヒール部がどのようにヒール受けに取り付けられるのかを示す、組み立てられた靴の断面図であり、図２２は、図２０のヒール部とヒール受けとの間の同様の接続を示す部分断面図である。この例は靴を指すが、本開示の特徴は、任意の好適な履物物品、例えば、ブーツ、靴、サンダル等とともに使用され得る。
【００４０】
靴１００は、ソール１０２、およびソールに解放可能に固着可能ないくつかの交換可能なヒール部を含む。本例では、靴１００は、ハイヒール部１０４およびローヒール部１０６を含み、それぞれ背の高いヒール部および背の低いヒール部とも呼ばれる。靴１００は、靴１に関して上に記載されたようなアッパー、またはユーザの足を保持するように構成された任意の他の好適な部分も含んでよい。例えば、靴１００は、ソールに付けられ、任意選択で足に適合するように調節可能なトゥストラップ１０８およびヒールストラップ１１０を含む。より多いか、またはより少ないストラップが利用されてよい。
【００４１】
ソール１０２は、アウトソール部１１４の上に概して積層されたインソール部１１２を含む。上に記載されたように、インソールおよびアウトソールは、任意の好適な材料を備えてよく、既知の方法を使用してともに付けられてよい。しかしながら、いくつかの例では、インソール部１１２およびアウトソール部１１４の両方を含むソール１０２が、ソールが付加製造プロセスで構築される複数材料３Ｄ印刷などの単一のプロセスで作り出されてよい。一般に、アウトソール部１１４は、例えば、耐摩耗性のために、インソール部１１２より頑丈で、より反発性の低い材料を含んでよい。インソール部１１２は、例えば、快適性のために、よりやわらかく、より反発性の高い材料を含んでよい。いくつかの例では、ソール１０２は、より多いか、またはより少ない層を含んでよい。
【００４２】
支持シャンク１１６は、ソール１０２中に形成されたポケットまたは空洞１１８内に少なくとも部分的に収容される。支持シャンクおよびソールは異なる材料で作られてよいため、および支持シャンクとソールとの間の相対運動が望ましい場合があるため、支持シャンク１１６およびソール１０２は、互いに対して少なくとも部分的に可動である。言い換えれば、支持シャンクの少なくとも一部（いくつかの例では、全体）は、ソールに対して長手方向に自由に摺動する。いくつかの実施形態では、以下にさらに記載されるように、ソールが支持シャンクに対して少なくとも部分的に自由に動くと見なすのがより有用な場合がある。支持シャンク１１６は、上記の支持シャンク１４に類似しており、同様の機能性を有する。支持シャンク１１６は、鋼（例えば、ばね鋼）などの任意の好適な材料を含んでよい。本例では、支持シャンク１１６は、完全に硬質であるよりもむしろある程度の可撓性を有してよい。これは、図１６および１７に最もよく見られ、支持シャンクのハイヒール構成Ａおよびローヒール構成Ｂの例が、両方とも示されている。
【００４３】
この例では、図２１に最もよく示すように、空洞１１８は、インソール部１１２中に全体が形成される。しかしながら、他の好適な構成が利用されてよい。例えば、空洞１１８は、インソール１１２とアウトソール１１４との間に形成されてよく、または各々に部分的に形成されてよい。靴１００は、可撓性でよりやわらかい追加の支持体が母趾球のために必要な場合がある靴１００中の屈曲部に近接した支持シャンク１１６の下にある、可撓性挿入部１２０をさらに含む。
【００４４】
靴１００の例では、支持体１１６の前端部１２２はソール１０２に固着され、その結果、支持シャンクの前端部の長手方向位置はソールに対して固定される。支持体の後端部１２４は、空洞１１８内で自由に可動なままである。支持体１１６の前端部１２２は、任意の好適な構造または装置によって固着されてよい。ここでは、クランプ板１２６が利用されて前端部１２２をインソール１１２のクランプ板受け１２８に固着する。図示するように、例えば、図１７では、クランプ板１２６中の複数のピンが、前端部１２２中の対応する開口を通って受け部１２８中の受け孔に入り、支持体をインソールに固着する。代替として、または追加として、接着剤、接合等のような他の固着方法が利用されてよい。記載されたように、例えば、節ＡおよびＣでは、本明細書に記載された変換可能靴のいくつかの実施形態は、前端部１２２をソール１０２へ固着することを含まない（すなわち、いくつかの例では、支持シャンク全体が、ソールに対して長手方向に可動である）。
【００４５】
同様の方法で、トゥストラップ１０８およびヒールストラップ１１０は、任意の好適な方法または装置を使用してソール１０２に固着されてよい。この例では、図１７に示すように、トゥストラップ１０８は、ストラップの端部をクランプ板１８０、１８２と対応するクランプ板受け１８４、１８６との間で締め付けること（および／または接着すること、接合すること等）によってソール１０２に固着される。同様に、ヒールストラップ１１０は、ストラップの端部をクランプ板１８８、１９０と対応するクランプ板受け１９２、１９４との間で締め付けること（および／または接着すること、接合すること等）によってソール１０２に固着される。
【００４６】
ブロック１３０は、支持シャンク１１６の後端部１２４に付けられ、ソール１０２中の開口部または開口１３２を通って略下方に伸びる。図面に示すように、ブロック１３０は、実質的に立方体状である。しかしながら、ブロック１３０は、任意の好適な形状および／または大きさであってよい。開口１３２は、少なくとも長手方向の寸法がブロックより大きく、その結果、ブロック１３０は、開口の前側１３４から開口の後側１３６へ長手方向に動くことができる。この長手方向の寸法は、そのような動きの限界を決定し、それにより、ソールに対する支持体の動きの限界を決定するように選択されてよい。
【００４７】
ブロック１３０は、任意の好適な構造または装置を使用して支持シャンク１１６に固着されてよい。この例では、例えば、図１７に示すように、支持体１１６は、クランプ板１３８とブロック１３０との間に保持され、１対のねじ１４０を使用して締結される。支持シャンクのこの部分の上のソール１０２中の開口部を覆い、ユーザの足に対する干渉および不快感を防ぐために、アクセス板１４２が使用される。概して、ブロック１３０の機能は、ヒール部の対応するフィーチャとインターフェース接続して、ソールに対する支持シャンクの長手方向位置を確立および／または固着することである。図２２に最もよく示すように、靴１００がローヒール構成に変換されると、ソール１０２は、その前端が固着された支持シャンク１１６に対してわずかに後方に伸びる。これは、空洞１１８の後端に空間を残す。ブロック１３０およびヒール部は、相互作用してこの配置を固着し、さらなる動きを防ぐ。節Ｃにさらに記載されるように、ブロック１３０は、支持シャンク１１６の両端が自由端である場合、同様の機能性を有し、その実施形態では、ソールに対する支持体の位置変更および固着の両方を行う。
【００４８】
ヒール取り付け機構１４４が靴１００に含まれ、ヒール部およびソールのフィーチャを備える。ヒール取り付け機構１４４は、ヒール部をソールに解放可能に固着するように構成された任意の好適な構造および／または装置を含んでよい。例えば、節Ａに記載されたヒール取り付け機構の１つ以上が、靴１００とともに使用されてよい。この例では、ヒール取り付け機構１４４は、ソール１０２に取り付けられたヒール受け１４６を含む。ヒール受け１４６は、任意の好適な方法を使用してソール１０２に付けられてよく、この例では、ソール１０２の一部として（例えば、アウトソール１１４を通って下方に伸びるインソール１１２の一部として）形成される。具体的には、ヒール受けは、ヒール受けの基部１４９から伸びる固定フック部１４８、固定フック部に対向して配置された可動フック部１５０、および可動フック部を後退位置と伸長位置との間で動かすように構成されたアクチュエータ１５２を含む。
【００４９】
フック部１４８および１５０は、任意の方向に向けられてよく、例えば、固定フックが前、左、右、または後方に面し、可動フックが反対方向に面する。ここでは、固定フック部１４８が後部に面し、可動フック部１５０が靴の前部に面する。可動フック部１５０は、伸長または前方位置に向かって付勢される。任意の好適な付勢装置が使用されてよい。ここでは、図１６、１７、２１、および２２に示すように、コイルばね１５４が使用される。
【００５０】
アクチュエータ１５２は可動フック部１５０に接続され、その結果、ばね１５４の付勢力に逆らうアクチュエータ１５２の操作（例えば、手動操作）は、可動フックを後退させる。図面に示す例では、アクチュエータ１５２は、可動フック部１５０を有する単一部品のものであり、アクチュエータおよび可動フックをヒール受け基部の底面に対して保持するリテーナ板１５８のねじおよび／またはガイドピンによってガイドされるような、アクチュエータの長手方向の摺動を可能とする１対のチャネル１５６を有する。
【００５１】
ヒール部１０４および１０６は各々、ヒール部をヒール受けに取り付けるための上部設置面、すなわち、上部設置面１６０および上部設置面１６２をそれぞれ含む。これらの上部設置面の各々は、固定フック部１４８と係合するように構成された第１の凹部１６４、１６６、および可動フック部１５０と係合するように構成された第２の凹部１６８、１７０を含み、その結果、ヒール部がヒール受けと係合すると、可動フック部が伸長位置にある場合、ヒール部はヒール受けに固着され、可動フック部が後退位置にある場合、ヒール部はヒール受けから解放可能である。
【００５２】
図面に示すように、開口１３２は、ソール１０２を通って固定フック部１４８と可動フック部１５０との間に伸びる。より具体的には、開口１３２は、ソールおよび基部１４９を略垂直方向に通り、壁に囲まれたチャネルまたは通路を形成する。
【００５３】
上部設置面１６０および１６２の各々は、上方に突出するくさび、すなわち、ハイヒール部１０４のくさび１７２およびローヒール部１０６のくさび１７４をさらに含む。これらのくさびの各々は、開口１３２に貫入し、異なる方法ではあるが、ブロック１３０とインターフェース接続するように構成される。具体的には、ヒール受けへのヒール部の据え付けは、くさび１７２または１７４をブロック１３０の前面または後面に当接させ、ブロック１３０を選択された長手方向に押す。据え付け時、開口１３２に対するくさび１７２および１７４の幾何学的関係は、ブロック１３０が、開口１３２の前側１３４または後側１３６のどちらに対してくさびで留められるかを決定する。言い換えれば、ヒール部の上方に突出するくさびの前後位置は、ブロック１３０に力を加え、くさびと開口の壁部との間でブロックをロックする方向を決定する。この例では、ハイヒール部１０４のくさび１７２は、設置面１６０上で、ローヒール部１０６のくさび１７４が設置面１６２上で位置するよりさらに前方に位置する。したがって、靴１００への、ハイヒール部１０４の据え付けは、ブロック１３０を開口１３２の後側１３６に対してロックすることになる。同様に、ローヒール部１０６の据え付けは、ブロック１３０を開口１３２の前側１３４に対してロックすることになる。
【００５４】
操作では、靴１００は、以下のように２つ以上の交換可能なヒール間で変換されてよい。ヒールが取り付けられていないソール部１０２から始まり、ハイヒール部１０４の上部設置面１６０を、ヒール受け１４６と係合して置いてよい。具体的には、固定フック１４８を後部フック受け凹部１６４に挿入し、そこに係合させるような角度で、ヒール部１０４を置いてよい。次いで、ヒール部を上方に枢動させてよく、その結果、可動フック１５０は上部設置面と接触し、ばね１５４に逆らって可動フックを後退させ、ヒール部をヒール受けと完全に係合させる。完全に係合すると、ばね１５４は、可動フック１５０を押して前部フック受け凹部１４８中へ伸ばすことになる。ユーザは、これを、所定の場所へのヒールの「スナップ」として経験してよい。必要に応じて、可動フック１５０の後退および／または伸長プロセスを支援するために、アクチュエータ１５２を利用してよい。さらに、支持シャンク１１６およびブロック１３０は、くさび１７２とブロック１３０との適切な係合を可能とするために、ヒール部とヒール受けとの完全な係合の前または最中に、手動位置決めを必要とする場合がある。いくつかの例では、くさび１７２は、ブロック１３０、したがって支持シャンク１１６を自動的に位置決めする。図２１は、ハイヒール部１０４が靴１００に据え付けられると、様々な構成要素が互いにどのように関連するのかを示す。
【００５５】
ハイヒール部１０４を除去するためにプロセスを逆転させて、アクチュエータ１５２を、可動フック１５０を後退させるように後方に操作し、ヒール部の前側の離脱を可能とする。次いで、ヒール部１０４を枢動させ、固定フック１４８から除去し、それにより、ヒール部を完全に除去することができる。
【００５６】
同様に、ローヒール部１０６を、ローヒール部１０６の上部設置面１６２をヒール受け１４６と係合して置くことによって、次いで据え付けることができる。具体的には、固定フック１４８を後部フック受け凹部１６６に挿入し、そこに係合させるような角度で、ヒール部１０６を置いてよい。次いで、ヒール部を上方に枢動させてよく、その結果、可動フック１５０は上部設置面と接触し、ばね１５４に逆らって可動フックを後退させ、ヒール部をヒール受けと完全に係合させる。完全に係合すると、ばね１５４は、可動フック１５０を押して前部フック受け凹部１７０中へ伸ばすことになる。再び、必要に応じて、可動フック１５０の後退および／または伸長プロセスを支援するために、アクチュエータ１５２を利用してよい。上記のように、支持シャンク１１６およびブロック１３０は、くさび１７４とブロック１３０との適切な係合を可能とするために、ヒール部とヒール受けとの完全な係合の前または最中に、手動位置決めを必要とする場合がある。いくつかの例では、くさび１７４は、ブロック１３０、したがって支持シャンク１１６を自動的に位置決めする。図２２は、ローヒール部１０６が靴１００に据え付けられると、様々な構成要素が互いにどのように関連するのかを示す。
【００５７】
ハイヒールおよびローヒールが本明細書の様々な実施形態に記載されているが、任意の高さの組み合わせが、異なるかまたは同じであるかにかかわらず、使用されてよい。例えば、靴１００は、異なるヒールの高さの間だけでなく、同様のヒールの高さの間で変換可能であってよい。例えば、一方が他方よりわずかに高い２つのハイヒールが、ソール１０２とともに含まれてよく、両方とも、くさび１７２に実質的に類似した上方に突出するくさびを含んでよい。
【００５８】
Ｃ．第３の例示的変換可能靴
図１３、２３、および２４に示すように、この節では、例示的変換可能靴２００について記載する。靴２００は、上記の概要に記載された変換可能靴の別の例であり、以下にさらに記載されるように、靴１および靴１００の選択された特徴を有する。図１３は、靴１００の俯瞰図であり（節Ｂ参照）、例示的支持シャンクが靴２００上で位置決めされ得る場所を示し、靴２００は、その他の点ではこの図の靴１００と実質的に同一である。図２３は、靴２００に据え付けられたローヒールを示す部分断面図であり、図２４は、靴２００に据え付けられたハイヒールを示す部分断面図である。
【００５９】
概して、靴２００は、支持シャンクおよびヒール部の上方に突出するくさびに関して以外は、靴１００と実質的に同一である。支持シャンクの操作については、支持シャンク全体がソールに対して長手方向に可動であるという点で、靴２００は靴１により類似していると見なされてよく、その付随する利点を有する。
【００６０】
具体的には、靴２００は、ソール２０２、およびソールに解放可能に固着可能ないくつかの交換可能なヒール部を含む（例えば、ハイヒール部２０４およびローヒール部２０６）。靴１００のように、靴２００は、アッパー、またはユーザの足を保持するように構成された任意の他の好適な部分を含んでよい。
【００６１】
ソール２０２は一体であってよいが、この例では、アウトソール部２１４の上に概して積層されたインソール部２１２を含む。より多いか、またはより少ない層が含まれてよい。
【００６２】
支持シャンク２１６は、ソール２０２中に形成されたポケットまたは空洞２１８内に少なくとも部分的に収容される。靴１００のように、支持シャンク２１６およびソール２０２は、互いに対して少なくとも部分的に可動である。この例では、支持シャンク全体が、限界内でソールに対して長手方向に自由に摺動する。図１３を参照すると、支持シャンク２１６の例が、前方位置Ｃおよび後方位置Ｄで示されている。
【００６３】
この例では、空洞２１８は、インソール部２１２中に全体が形成される。しかしながら、他の好適な構成が利用されてよい。例えば、空洞２１８は、インソール２１２とアウトソール２１４との間に形成されてよく、または各々に部分的に形成されてよい。靴２００の例では、支持シャンク全体が、空洞２１８内でソールに対して長手方向に可動である。
【００６４】
ブロック２３０は、支持シャンク２１６の後端部２２４に付けられ、ソール２０２中の開口部または開口２３２を通って略下方に伸びる。ブロック２３０および開口２３２は、靴１００の対応するブロック１３０および開口１３２と実質的に同一である。上に記載されたように、ブロック２３０は、開口の前側２３４から開口の後側２３６へ長手方向に動くことができる。前側２３４と後側２３６との間の長手方向の寸法は、そのような動きの限界を決定し、それにより、ソールに対する支持体の動きの限界を決定するように選択されてよい。
【００６５】
図２３に示すように、靴２００がローヒール構成に変換されると、支持シャンク２１６は空洞２１８内の後方、位置Ｄに移動する。ブロック２３０およびヒール部は、相互作用してこの配置を固着し、さらなる動きを防ぐ。以下にさらに記載されるように、この相互作用は、ソールに対する支持体の位置変更および固着の両方を行う。
【００６６】
ヒール取り付け機構２４４が靴２００に含まれ、上に記載されたヒール取り付け機構１４４と実質的に同一である。節Ｂで述べたように、節Ａに記載されたヒール取り付け機構の１つ以上が、靴２００とともに使用されてよい。しかしながら、この例では、ヒール取り付け機構２４４は、ソール２０２に取り付けられたヒール受け２４６を含む。ヒール受け１４６に関して記載されたように、ヒール受け２４６は、ヒール受けの基部２４９から伸びる固定フック部２４８、固定フック部に対向して配置された可動フック部２５０、および可動フック部を後退位置と伸長位置との間で動かすように構成されたアクチュエータ２５２を含む。ヒール受け２４６のすべての構成要素は、ヒール受け１４６のものと実質的に同一であり、再び、可動フック部２５０は、コイルばね２５４によって伸長または前方位置に向かって付勢される。
【００６７】
ヒール部２０４および２０６は各々、ヒール部をヒール受けに取り付けるための上部設置面を含む。これらの上部設置面の各々は、上方に突出するくさびの配置を除いて、ヒール部１０４および１０６の上部設置面に実質的に類似している。したがって、各ヒール部は、ヒール受け２４６の固定および可動フックと係合するための第１の（前部）凹部および第２の（後部）凹部を含む。しかしながら、ハイヒール部２０４のくさび２７２およびローヒール部２０６のくさび２７４は、それらの対応する靴１００中の構成要素とは異なって位置決めされる。再び、これらのくさびの各々は、開口２３２に貫入し、ブロック２３０とインターフェース接続するように構成される。再び、ヒール受けへのヒール部の据え付けは、くさび２７２または２７４をブロック２３０の前面または後面に当接させ、ブロック２３０を選択された長手方向に押す。この例では、ハイヒール部２０４のくさび２７２は、設置面上で、ローヒール部２０６のくさび２７４がその設置面上で位置するよりさらに後方に位置する。したがって、靴２００への、ハイヒール部２０４の据え付けは、ブロック２３０を開口２３２の後側２３６に対して位置決めおよびロックすることになる。同様に、ローヒール部２０６の据え付けは、ブロック２３０を開口２３２の前側２３４に対して位置決めおよびロックすることになる。
【００６８】
操作では、靴２００は、以下のように２つ以上の交換可能なヒール間で変換されてよい。ヒールが取り付けられていないソール部２０２から始まり、ハイヒール部２０４の上部設置面を、ヒール受け２４６と係合して置いてよい。具体的には、固定フック２４８を後部フック受け凹部に挿入し、そこに係合させるような角度で、ヒール部２０４を置いてよい。次いで、ヒール部を上方に枢動させてよく、その結果、可動フック２５０は上部設置面と接触し、ばね２５４に逆らって可動フックを後退させ、ヒール部をヒール受けと完全に係合させる。完全に係合すると、ばね２５４は、可動フック２５０を押して前部フック受け凹部中へ伸ばすことになる。再び、ユーザは、これを、所定の場所へのヒールの「スナップ」として経験してよい。必要に応じて、可動フック２５０の後退および／または伸長プロセスを支援するために、アクチュエータ２５２を利用してよい。さらに、支持シャンク２１６およびブロック２３０は、くさび２７２とブロック２３０との適切な係合を可能とするために、ヒール部とヒール受けとの完全な係合の前または最中に、手動位置決めを必要とする場合がある。言い換えれば、ユーザは、ヒールを据え付ける前に、ブロック２３０を開口２３２中で前方に手動で押してよい。いくつかの例では、くさび２７２は、ブロック２３０、したがって支持シャンク２１６を自動的に位置決めする。図２４は、ハイヒール部２０４が靴２００に据え付けられると、様々な構成要素が互いにどのように関連するのかを示す。
【００６９】
ハイヒール部２０４を除去するためにプロセスを逆転させて、アクチュエータ２５２を、可動フック２５０を後退させるように後方に操作し、ヒール部の前側の離脱を可能とする。次いで、ヒール部２０４を枢動させ、固定フック２４８から除去し、それにより、ヒール部を完全に除去することができる。
【００７０】
同様に、ローヒール部２０６を、ローヒール部２０６の上部設置面をヒール受け２４６と係合して置くことによって、次いで据え付けることができる。具体的には、固定フック２４８を後部フック受け凹部に挿入し、そこに係合させるような角度で、ヒール部２０６を置いてよい。次いで、ヒール部を上方に枢動させてよく、その結果、可動フック２５０は上部設置面と接触し、ばね２５４に逆らって可動フックを後退させ、ヒール部をヒール受けと完全に係合させる。完全に係合すると、ばね２５４は、可動フック２５０を押して前部フック受け凹部中へ伸ばすことになる。上記のように、支持シャンク２１６およびブロック２３０は、くさび２７４とブロック２３０との適切な係合を可能とするために、ヒール部とヒール受けとの完全な係合の前または最中に、手動位置決めを必要とする場合がある。言い換えれば、ユーザは、ヒールを据え付ける前に、ブロック２３０を開口２３２中で後方に手動で押してよい。いくつかの例では、くさび２７４は、ブロック２３０、したがって支持シャンク２１６を自動的に位置決めする（すなわち、後方位置Ｄにする）。図２３は、ローヒール部２０６が靴２００に据え付けられると、様々な構成要素が互いにどのように関連するのかを示す。
【００７１】
Ｄ．第４の例示的変換可能靴
図２５〜３５に示すように、この節では、例示的変換可能靴３００について記載する。靴３００は、上記の概要に記載された変換可能靴の別の例である。靴３００の特徴は、所望により、靴１、１００、および／または２００の特徴と組み合わされてよい。
【００７２】
靴３００を、図２５に垂直投影図で、図２６に上面図で、図２７に底面図で、図２８に側面図で示す。図２９は、靴３００の様々な構成要素の分解図を示す。図３０は、靴のヒール受け部の拡大図であり、図３１および３２は、靴３００とともに使用するのに適した２つの異なるヒール部の断面図である。図３３および３４は、図３１のヒール部がどのようにヒール受けに取り付けられるのかを示す、組み立てられた靴の断面図であり、図３５は、図３２のヒール部とヒール受けとの間の同様の接続を示す部分断面図である。この例は靴を指すが、本開示の特徴は、任意の好適な履物物品、例えば、ブーツ、靴、サンダル等とともに使用され得る。
【００７３】
靴３００は、ソール３０２、およびソールに解放可能に固着可能ないくつかの交換可能なヒール部を含む。本例では、靴３００は、ハイヒール部３０４およびローヒール部３０６を含み、それぞれ背の高いヒール部および背の低いヒール部とも呼ばれる。靴３００は、靴１に関して上に記載されたようなアッパー、またはユーザの足を保持するように構成された任意の他の好適な部分も含んでよい。例えば、靴３００は、靴１００に関して記載されたようなトゥストラップおよび／またはヒールストラップを含んでよい。
【００７４】
ソール３０２は、アウトソール部３１４の上に概して積層されたインソール部３１２を含む。上に記載されたように、インソールおよびアウトソールは、任意の好適な材料を備えてよく、既知の方法を使用してともに付けられてよい。しかしながら、いくつかの例では、インソール部３１２およびアウトソール部３１４の両方を含むソール３０２が、ソール（例えば、ソールのすべての層）が付加製造プロセスで構築される複数材料３Ｄ印刷などによって、単一のプロセスで作り出されてよい。一般に、アウトソール部３１４は、例えば、耐摩耗性のために、インソール部３１２より頑丈で、より反発性の低い材料を含んでよい。インソール部３１２は、例えば、快適性のために、よりやわらかく、より反発性の高い材料を含んでよい。いくつかの例では、ソール３０２は、より多いか、またはより少ない層を含んでよい。
【００７５】
ストラップまたは他の構成要素が、１つ以上のクランプ板によってソール３０２に固着されてよい。例えば、図２５、２６、および２９に最もよく示すように、クランプ板３８０、３８２および対応する陥凹クランプ板受け３８４、３８６が、ソールの前（すなわちトゥ）端上で利用されてよい。同様に、クランプ板３８８、３９０が、ソールのヒール端上の対応する受け部に固着されてよい。クランプ板および受け部は、層の互いに対する横方向の動きを防ぐことによって、積層されたソールの安定性をさらに増してよい。
【００７６】
この例では、インソール部３１２は、ユーザの中足趾節（ＭＴＰ）関節（すなわち、中足骨頭）が典型的に圧力をかけることになる、例えば、つま先のすぐ後方、母趾球のインソールの領域中に配置された緩衝くさび３１６を含む。くさび３１６は、よりやわらかく、より反発性の高いインソール３１２の材料を備えてよく、インソール部と一体であってよい。この例で図示されるように、くさび３１６は、アウトソール部３１４中の対応するくさび受け３１８によって収容される。くさび３１６およびくさび受け３１８は、さらなる固着のためにともに鍵止めされる。上に記載されたように、インソールおよびアウトソール部は、例えば単一工程で、付加製造されてよい。いずれにせよ、ここでの鍵止めフィーチャは、くさび３１６上の１対のリッジ３２０、およびくさび受け３１８中の対応する１対のチャネル３２２を含み、ともに嵌合し、くさびをくさび受け中にロックするように構成される。３Ｄ印刷に適したものを含む、他の好適な鍵止めフィーチャが利用されてよい。
【００７７】
ヒール取り付け機構３４４が靴３００に含まれ、ヒール部およびソールのフィーチャを備える。ヒール取り付け機構３４４は、ヒール部をソールに解放可能に固着するように構成された任意の好適な構造および／または装置を含んでよい。例えば、節Ａ、Ｂ、またはＣに記載されたヒール取り付け機構の１つ以上が、靴３００とともに使用されてよい。この例では、ヒール取り付け機構３４４は、ソール３０２に取り付けられたヒール受け３４６を含む。ヒール受け３４６は、任意の好適な方法を使用して（例えば、接着剤によって）ソール３０２に付けられてよく、この例では、ソール３０２の一部として（例えば、アウトソール部３１４の下方に伸びる部分として）形成される。
【００７８】
具体的には、ヒール受け３４６は、ヒール受けの基部３４９から伸びる固定フック部３４８、固定フック部に対向して配置された可動フック部３５０、および可動フック部を後退位置と伸長位置との間で動かすように構成されたアクチュエータ３５２を含む。図面に示すように、（以下に記載される）ヒール部のくさびを収容するための凹部３３２が、固定フック部３４８と可動フック部３５０との間でヒール受け３４６中に伸びる。
【００７９】
フック部３４８および３５０は、任意の方向に向けられてよく、例えば、固定フックが前、左、右、または後方に面し、可動フックが反対方向に面する。ここでは、靴１００のように、固定フック部３４８が後部に面し、可動フック部３５０が靴の前部に面する。可動フック部３５０は、伸長または前方位置に向かって付勢される。任意の好適な付勢装置が使用されてよい（以下を参照）。
【００８０】
アクチュエータ３５２は可動フック部３５０に動作可能に接続され、その結果、付勢装置の力に逆らうアクチュエータ３５２の操作（例えば、手動操作）は、可動フックを後退させる。この実施形態では、アクチュエータ３５２は、可動フック部３５０を有する単一部品のものである。具体的には、組み合わされた可動フック部３５０およびアクチュエータ３５２は、把持性を高めるためにテクスチャ加工された略三角形の手動ハンドル３２４、ならびにフック３２８および統合ばね部材３５４がその上に形成される細長い本体３２６を含む。手動ハンドル３２４は、靴の裏側に露出し、ユーザによってアクセス可能である。
【００８１】
本体３２６は、略平面の上部を有し、アウトソールの裏側と接触しながら摺動するように構成される。本体の後部は、ヒール受け３４６中に形成された空洞３３０中に収容され、その結果、ばね部材３５４は空洞３３０中に配置され、空洞の壁部と接触する。この例では、ばね部材３５４は、本体３２６の後部にわたって略横向きまたは横方向に伸びる複数の反発性指部または突出部を含み、その結果、反発性指部の遠位端は、本体の後部から離隔する。いくつかの例では、指部は、水平／横方向よりもむしろ垂直または斜めに伸びてよい。概して、任意の好適な数および向きの指の伸長が利用されてよく、その結果、反発性指部は、負荷時に本体に向かって枢動または屈曲し、負荷が除かれると（自動的に）反発性復帰することによって付勢力を加えるように構成される。上で述べたように、これらの指の伸長は、可動フック部３５０の本体と統合されてよく、例えば、可動フック部の一体部分として同時に３Ｄ印刷される。アクチュエータ３５２および可動フック３５０は、１対のサイドガイド３５６およびリテーナバー３５８によってアウトソール部３１４に対してガイドおよび保持されるが、任意の好適なリテーナ／ガイド機構が利用されてよい（節Ｂ参照）。
【００８２】
ヒール部３０４および３０６は各々、ヒール部をヒール受けに取り付けるための上部設置面、すなわち、上部設置面３６０および上部設置面３６２をそれぞれ含む。これらの上部設置面の各々は、固定フック部３４８と係合するように構成された第１の凹部３６４、３６６、および可動フック部３５０と係合するように構成された第２の凹部３６８、３７０を含み、その結果、ヒール部がヒール受けと係合すると、可動フック部が伸長位置にある場合、ヒール部はヒール受けに固着され、可動フック部が後退位置にある場合、ヒール部はヒール受けから解放可能である。凹部３６４および３６６は、対応するヒール部３０４のリップ３７６Ａ、３７８Ａ、およびヒール部３０６のリップ３７６Ｂ、３７８Ｂを形成する（図３１および３２参照）。
【００８３】
上部設置面３６０および３６２の各々は、上方に突出するくさび、すなわち、ハイヒール部３０４のくさび３７２およびローヒール部３０６のくさび３７４をさらに含む。これらのくさびの各々は、ヒール受けの凹部３３２中にぴったりと収容されるように構成される。具体的には、ヒール受けへのヒール部の据え付けは、くさび３７２または３７４を凹部３３２と嵌合させ、ヒール−靴接続の固着および安定性をさらに増す。
【００８４】
操作では、靴３００は、以下のように２つ以上の交換可能なヒール間で変換されてよい。ヒールが取り付けられていないソール部３０２から始まり、ハイヒール部３０４の上部設置面３６０を、ヒール受け３４６と係合して置いてよい。具体的には、固定フック３４８を後部フック受け凹部３６４（すなわち、リップ３７６Ａの下）に挿入し、そこに係合させるような角度で、ヒール部３０４を置いてよい。次いで、ヒール部を上方に枢動させてよく、その結果、可動フック３５０は上部設置面（例えば、リップ３７８Ａ）と接触し、ばね部材３５４に逆らって可動フックを後退させ、ヒール部をヒール受けと完全に係合させる。
【００８５】
完全に係合すると、ばね部材３５４は、可動フック３５０を押して前部フック受け凹部３４８中（すなわち、リップ３７６Ａの下）へ伸ばす。ユーザは、これを、所定の場所へのヒールの「スナップ」として経験してよい。必要に応じて、可動フック３５０の後退および／または伸長プロセスを支援するために、アクチュエータ３５２を手動で移動させてよい。図３３〜３４は、ハイヒール部３０４が靴３００に据え付けられると、様々な構成要素が互いにどのように関連するのかを示す。
【００８６】
ハイヒール部３０４を除去するためにプロセスを逆転させて、アクチュエータ３５２を、ばね部材３５４の付勢力に逆らって可動フック３５０を後退させるように後方に操作し、リップ３７６およびヒール部の前側の離脱を可能とする。次いで、ヒール部３０４を枢動させ、固定フック３４８から除去し、それにより、ヒール部を完全に除去することができる。
【００８７】
同様に、ローヒール部３０６を、ローヒール部３０６の上部設置面３６２をヒール受け３４６と係合して置くことによって、次いで据え付けることができる。具体的には、固定フック３４８を後部フック受け凹部３６６（すなわち、リップ３７６Ｂの下）に挿入し、そこに係合させるような角度で、ヒール部３０６を置いてよい。次いで、ヒール部を上方に枢動させてよく、その結果、可動フック３５０は上部設置面（例えば、リップ３７８Ｂ）と接触し、ばね部材３５４に逆らって可動フックを後退させ、ヒール部をヒール受けと完全に係合させる。完全に係合すると、ばね３５４は、可動フック３５０を押して前部フック受け凹部３７０中（すなわち、リップ３７６Ｂの下）へ伸ばす。再び、必要に応じて、可動フック３５０の後退および／または伸長プロセスを支援するために、アクチュエータ３５２を利用してよい。図３５は、ローヒール部３０６が靴３００に据え付けられると、様々な構成要素が互いにどのように関連するのかを示す。
【００８８】
ハイヒールおよびローヒールが本明細書の様々な実施形態に記載されているが、任意の高さの組み合わせが、異なるかまたは同じであるかにかかわらず、使用されてよい。例えば、靴３００は、異なるヒールの高さの間だけでなく、同様のヒールの高さの間で変換可能であってよい。例えば、一方が他方よりわずかに高い２つのハイヒールが、ソール３０２とともに含まれてよい。
【００８９】
Ｅ．第５の例示的変換可能靴
図３６〜３９に示すように、この節では、例示的変換可能靴４００について記載する。靴４００は、上記の概要に記載された変換可能靴の別の例であり、以下にさらに記載されるように、靴３００の変形形態と見なされてよい。図３６は、図２９に類似した、靴４００の分解図である。図３７および３８は、図３１および３２に類似した、ハイヒール部およびローヒール部の断面図である。図３９は、靴４００に据え付けられたハイヒールを示す部分断面図である。
【００９０】
概して、靴４００は、以下に記載される違いに関して以外は、靴３００と実質的に同一である。大まかに言うと、靴４００のヒール接続機構の部分は、靴３００と比べて逆になっており、ソールは、より射出成形しやすい。
【００９１】
靴３００のように、靴４００は、ソール４０２、およびソールに解放可能に固着可能ないくつかの交換可能なヒール部を含む。本例では、靴４００は、ハイヒール部４０４およびローヒール部４０６を含み、それぞれ背の高いヒール部および背の低いヒール部とも呼ばれる。靴４００は、靴１に関して上に記載されたようなアッパー、またはユーザの足を保持するように構成された任意の他の好適な部分も含んでよい。例えば、靴４００は、靴１００に関して記載されたようなトゥストラップおよび／またはヒールストラップを含んでよい。
【００９２】
ソール４０２は、アウトソール部４１４の上に概して積層されたインソール部４１２を含む。上に記載されたように、インソールおよびアウトソールは、任意の好適な材料を備えてよく、既知の方法を使用してともに付けられてよい。この例では、ソールの層をともに固定することは、アウトソール部４１４中に形成された対応する開口４９８と嵌合するように構成された、インソール部４１２上の複数のピンまたは突出部４９６によって促進されてよい。一般に、アウトソール部４１４は、例えば、耐摩耗性のために、インソール部４１２より頑丈で、より反発性の低い材料を含んでよい。インソール部４１２は、例えば、快適性のために、よりやわらかく、より反発性の高い材料を含んでよい。いくつかの例では、ソール４０２は、より多いか、またはより少ない層を含んでよい。
【００９３】
ストラップまたは他の構成要素が、１つ以上のクランプ板によってソール４０２に固着されてよい。例えば、図３６に最もよく示すように、クランプ板４８０、４８２および対応する陥凹クランプ板受け４８４、４８６が、ソールの前（すなわちトゥ）端上で利用されてよい。同様に、クランプ板４８８、４９０が、ソールのヒール端上の対応する受け部に固着されてよい。クランプ板および受け部は、層の互いに対する横方向の動きを防ぐことによって、積層されたソールの安定性をさらに増してよい。
【００９４】
この例では、再び、インソール部４１２は、ユーザの中足趾節（ＭＴＰ）関節（すなわち、中足骨頭）が典型的に圧力をかけることになるインソールの領域中に配置された緩衝くさび４１６の形態の伸長または拡張を含む。くさび４１６は、よりやわらかく、より反発性の高いインソール４１２の材料を備えてよく、インソール部と一体であってよい。この例で図示されるように、くさび４１６は、アウトソール部４１４中の対応するくさび受け４１８によって収容される。くさび４１６およびくさび受け４１８は、さらなる固着のためにともに鍵止めされてよい。したがって、靴３００のように、インソールのより厚い部分は、ユーザの中足趾節関節に対応するソールの領域中のアウトソールの凹部中に伸びる。
【００９５】
ヒール取り付け機構４４４が靴４００に含まれ、ヒール部およびソールのフィーチャを備える。ヒール取り付け機構４４４は、ヒール部をソールに解放可能に固着するように構成された任意の好適な構造および／または装置を含んでよい。例えば、節Ａ、Ｂ、Ｃ、またはＤに記載されたヒール取り付け機構の１つ以上が、靴４００とともに使用されてよい。この例では、ヒール取り付け機構４４４は、ソール４０２に取り付けられたヒール受け４４６を含む。ヒール受け４４６は、任意の好適な方法を使用して（例えば、接着剤によって）ソール４０２に付けられてよく、この例では、ソール４０２の一部として（例えば、アウトソール部４１４の下方に伸びる部分として）形成される。
【００９６】
具体的には、ヒール受け４４６は、ヒール受けの基部４４９から伸びる固定フック部４４８、固定フック部に対向して配置された可動フック部４５０、および可動フック部を後退位置と伸長位置との間で動かすように構成されたアクチュエータ４５２を含む。図面に示すように、（以下に記載される）ヒール部の対応する凹部に挿入するためのくさび４７２が、固定フック部４４８と可動フック部４５０との間でヒール受け４４６から伸びる。これは、上に記載されたヒール受け３４６の凹部と対照的である。
【００９７】
さらに、いくつかの例では（図３６参照）、凹部４９２が、例えば、材料の使用量を減少させるために、アウトソール部４１４の上側に形成される。凹部４９２は、アウトソールと同じ材料または任意の他の好適な材料を備えてよいカバー板４９４で蓋をされる。
【００９８】
本明細書に記載された他の靴のように、フック部４４８および４５０は、任意の方向に向けられてよい。ここでは、靴１００および３００のように、固定フック部４４８が後部に面し、可動フック部４５０が靴の前部に面する。可動フック部４５０は、伸長または前方位置に向かって付勢される。任意の好適な付勢装置が使用されてよい（以下を参照）。
【００９９】
アクチュエータ４５２は可動フック部４５０に動作可能に接続され、その結果、付勢装置の力に逆らうアクチュエータ４５２の操作（例えば、手動操作）は、可動フックを後退させる。この実施形態では、アクチュエータ４５２は、可動フック部４５０を有する単一部品のものである。具体的には、組み合わされた可動フック部４５０およびアクチュエータ４５２は、把持性を高めるためにテクスチャ加工された略三角形の手動ハンドル４２４、ならびにフック４２８および統合ばね部材４５４がその上に形成される細長い本体４２６を含む。手動ハンドル４２４は、靴の裏側に露出し、ユーザによってアクセス可能である。
【０１００】
本体４２６は、略平面の上部を有し、アウトソールの裏側と接触しながら摺動するように構成される。本体の後部は、ヒール受け４４６中に形成された空洞４３０中に収容され、その結果、ばね部材４５４は空洞４３０中に配置され、空洞の壁部と接触する。この例では、ばね部材４５４は、実質的に、ばね部材３５４に関して記載されたとおりであり、したがって、本体４２６の後部にわたって略横向きまたは横方向に伸びる複数の反発性指部または突出部を含み、その結果、反発性指部の遠位端は、本体の後部から離隔する。
【０１０１】
アクチュエータ４５２および可動フック４５０は、１対のサイドガイド４５６およびリテーナバー４５８によってアウトソール部４１４に対してガイドおよび保持されるが、任意の好適なリテーナ／ガイド機構が利用されてよい。
【０１０２】
ヒール部４０４および４０６は各々、ヒール部をヒール受けに取り付けるための上部設置面４６０、４６２を含む。これらの上部設置面の各々は、固定フック部４４８と係合するように構成された第１の凹部４６４、４６６、および可動フック部４５０と係合するように構成された第２の凹部４６８、４７０を含み、その結果、ヒール部がヒール受けと係合すると、可動フック部が伸長位置にある場合、ヒール部はヒール受けに固着され、可動フック部が後退位置にある場合、ヒール部はヒール受けから解放可能である。凹部４６４および４６６は、対応するヒール部４０４のリップ４７６Ａ、４７８Ａ、およびヒール部４０６のリップ４７６Ｂ、４７８Ｂを形成する（図４１および４２参照）。
【０１０３】
上部設置面４６０および４６２の各々は、くさび受け４３２、４３４をさらに含む。これらのくさび受けの各々は、ヒール受けのくさび４７２とぴったりと嵌合するように構成される。具体的には、ヒール受けへのヒール部の据え付けは、くさび４７２を凹部４３２または４３４と嵌合させ、ヒール−靴接続の固着および安定性をさらに増す。
【０１０４】
操作では、靴４００は、実質的に、靴３００に関して上に記載されたとおりに、２つ以上の交換可能なヒール間で変換されてよい。図３９は、ハイヒール部４０４が靴４００に据え付けられると、様々な構成要素が互いにどのように関連するのかを示す。
【０１０５】
Ｆ．例示的組み合わせおよび追加の例
この節では、本教示の変換可能履物の追加の態様および特徴について記載し、一連の段落として限定することなく提示され、そのいくつかまたはすべては、明確さおよび効率のために英数字で指定されてよい。これらの段落の各々は、１つ以上の他の段落、および／または本出願の他の部分からの開示と、任意の好適な方法で組み合わされ得る。以下の段落のいくつかは、他の段落を明示的に指し、さらに限定し、好適な組み合わせのいくつかの例を限定することなく提供する。
【０１０６】
Ａ０．
固定フック部、固定フック部に対向して配置された可動フック部、および可動フック部を後退位置と伸長位置との間で動かすように構成されたアクチュエータを有するヒール受けを含むソールと、
第１のヒール部および第２のヒール部であって、第１および第２のヒール部の各々は、固定フック部と係合するように構成された第１の凹部および可動フック部と係合するように構成された第２の凹部を含み、その結果、ヒール部がヒール受けと係合すると、（ａ）可動フック部が伸長位置にある場合、ヒール部はヒール受けに固着され、（ｂ）可動フック部が後退位置にある場合、ヒール部はヒール受けから解放可能である、第１のヒール部および第２のヒール部と
を備える履物物品であって、
第１のヒール部がソールのヒール受け部に固着される第１の構成と、第２のヒール部がソールのヒール受け部に固着される第２の構成との間を移行可能である、
履物物品。
【０１０７】
Ａ１．
ヒール受けは固定フック部と可動フック部との間の第３の凹部をさらに備え、第１および第２のヒール部の各々は、第１の凹部と第２の凹部との間から突出するくさびをさらに備え、その結果、くさびはヒール受けの第３の凹部と嵌合するように構成される、Ａ０に記載の履物物品。
【０１０８】
Ａ２．
第１のヒール部は第２のヒール部より背が高く、その結果、履物物品は、第１の構成にある場合、第２の構成に比べて高いヒールの靴を備える、Ａ０またはＡ１に記載の履物物品。
【０１０９】
Ａ３．
可動フック部は、伸長位置に向かって付勢される、段落Ａ０〜Ａ２のいずれか１つに記載の履物物品。
【０１１０】
Ａ４．
可動フック部は、ヒール受けの内部空洞によって収容される本体を備え、可動フック部は、可動フック部の本体と空洞の壁部との間に伸びる反発性部材によって伸長位置に向かって付勢される、Ａ３に記載の履物物品。
【０１１１】
Ａ５．
反発性部材は、可動フック部から突出し、可動フック部と一体の、１つ以上の反発性指部を備える、Ａ４に記載の履物物品。
【０１１２】
Ａ６．
１つ以上の指部は、可動フック部の後面にわたって横方向に伸び、その結果、１つ以上の指部の遠位端は、本体に向かって反発性枢動可能である、Ａ５に記載の履物物品。
【０１１３】
Ａ７．
ソールは、アウトソールに結合されたインソールをさらに含み、インソールのより厚い部分は、ユーザの中足趾節関節に対応するソールの領域中のアウトソールの凹部中に伸びる、段落Ａ０〜Ａ６のいずれか１つに記載の履物物品。
【０１１４】
Ｂ０．
固定フック部、固定フック部に対向して配置された可動フック部、および可動フック部を後退位置と伸長位置との間で動かすように構成されたアクチュエータを有するヒール受けを含むソールと、
第１のヒール部および第２のヒール部であって、第１および第２のヒール部の各々は、固定フック部と係合するように構成された第１のリップおよび可動フック部と係合するように構成された第２のリップを有する、第１のヒール部および第２のヒール部と
を備える履物物品であって、
第１のヒール部がソールのヒール受け部に固着される第１の構成と、第２のヒール部がソールのヒール受け部に固着される第２の構成との間を移行可能である、
履物物品。
【０１１５】
Ｂ１．
ヒール受けは、固定フック部と可動フック部との間の凹部をさらに備え、第１および第２のヒール部の各々は、第１のリップと第２のリップとの間でそれぞれのヒール部から突出するくさびを含み、その結果、凹部はくさびを収容するように構成される、Ｂ０に記載の履物物品。
【０１１６】
Ｂ２．
第１のヒール部は第２のヒール部より背が高く、その結果、履物物品は、第１の構成にある場合、第２の構成に比べて高いヒールの靴を備える、Ｂ０またはＢ１に記載の履物物品。
【０１１７】
Ｂ３．
可動フック部は、伸長位置に向かって付勢される、段落Ｂ０〜Ｂ２のいずれか１つに記載の履物物品。
【０１１８】
Ｂ４．
可動フック部４は、ヒール受けの内部空洞によって収容される本体を備え、可動フック部は、可動フック部の本体と空洞の壁部との間に伸びる反発性部材によって伸長位置に向かって付勢される、Ｂ３に記載の履物物品。
【０１１９】
Ｂ５．
反発性部材は、可動フック部から突出し、可動フック部と一体の、１つ以上の反発性指部を備える、Ｂ４に記載の履物物品。
【０１２０】
Ｂ６．
１つ以上の指部は、可動フック部の後面にわたって横方向に伸び、その結果、１つ以上の指部の遠位端は、本体に向かって反発性屈曲可能である、Ｂ５に記載の履物物品。
【０１２１】
Ｃ０．
固定フック部、固定フック部に対向して配置された可動フック部、および可動フック部を後退位置と伸長位置との間で動かすように構成されたアクチュエータを有するヒール受けを含むソールと、
第１のヒール部がヒール受けと係合すると、（ａ）可動フック部が伸長位置にある場合、第１のヒール部はヒール受けに固着され、（ｂ）可動フック部が後退位置にある場合、第１のヒール部はヒール受けから解放可能であるように構成された第１の上部インターフェースを有する第１のヒール部と
を備える履物物品。
【０１２２】
Ｃ１．
第２の上部インターフェースを有する第２のヒール部をさらに備え、上部インターフェースの各々は、固定フック部と係合するように構成された第１のリップおよび可動フック部と係合するように構成された第２のリップを備える、Ｃ０に記載の履物物品。
【０１２３】
Ｃ２．
ヒール受けは、固定フック部と可動フック部との間で突出するくさびをさらに備え、第１および第２のヒール部の各々は、第１のリップと第２のリップとの間の凹部をさらに備え、凹部はくさびを収容するように構成される、Ｃ１に記載の履物物品。
【０１２４】
Ｃ３．
可動フック部は、伸長位置に向かって付勢される、段落Ｃ０〜Ｃ２のいずれか１つに記載の履物物品。
【０１２５】
Ｃ４．
可動フック部は、ヒール受けの内部空洞によって収容される本体を備え、可動フック部は、可動フック部の本体と空洞の壁部との間に伸びる反発性部材によって伸長位置に向かって付勢され、反発性部材は、可動フック部から突出し、可動フック部と一体の、１つ以上の反発性指部を備える、Ｃ３に記載の履物物品。
【０１２６】
Ｃ５．
１つ以上の指部は、可動フック部の後面にわたって横方向に伸び、その結果、１つ以上の指部の遠位端は、本体に向かって反発性枢動可能である、Ｃ４に記載の履物物品。
【０１２７】
Ｃ６．
固定フック部が後方に面し、可動フック部が前方に面する、段落Ｃ０〜Ｃ５のいずれか１つに記載の履物物品。
【０１２８】
Ｄ．
インソールは、改善された快適性を、それを最も必要とするユーザの足の領域（例えば、踵骨、土踏まず、中足骨）に提供する形状を有する、この節のいずれかの段落に記載の履物物品。
【０１２９】
Ｅ．
アクチュエータは、ソールの底面から突出し、滑りを防ぐためにテクスチャ加工された三角形の断面を有する、この節のいずれかの段落に記載の履物物品。これは、長い爪および異なる指の大きさを有するユーザによる使用を促進する。
【０１３０】
Ｆ．
インソールは、やわらかくかつ可撓性の材料を備え、ユーザが足を屈曲させる、中足骨およびつま先によるくさび形領域を含む、この節のいずれかの段落に記載の履物物品。
【０１３１】
Ｇ．
インソールは、インソールと比べて固くかつ頑丈な材料を備える、この節のいずれかの段落に記載の履物物品。
【０１３２】
利点、特徴、および利益
本明細書に記載された変換可能履物の異なる実施形態および例は、既知の解決法に対するいくつかの利点を提供する。例えば、本明細書に記載された例示的実施形態および例は、異なる高さのヒールの簡単かつ確実な交換を可能とする。
【０１３３】
加えて、いくつかある利益の中でもとりわけ、本明細書に記載された例示的実施形態および例は、１つのヒールを別のヒールと置き換えることの結果として、履物のソールに対する支持シャンクの位置を自動的に位置変更および／または固着する。
【０１３４】
加えて、いくつかある利益の中でもとりわけ、本明細書に記載された例示的実施形態および例は、工具を必要とせずに、ハイヒールとローヒールとの間の変換を可能とする。
【０１３５】
既知のシステムまたは装置は、これらの機能を果たせない。しかしながら、本明細書に記載されたすべての実施形態および例が、同じ利点または同程度の利点を提供するわけではない。
【０１３６】
結論
上述の開示は、独立した有用性を有する複数の別個の例を包含してよい。これらの各々は、その好ましい形態（複数可）で開示されているが、本明細書で開示および説明されたようなその特定の実施形態は、多くの変形形態が可能であるため、限定的な意味と見なされるべきではない。節の見出しが本開示内で使用される限り、そのような見出しは単に構成用である。開示の主題は、本明細書に開示された様々な要素、特徴、機能、および／または性質の、すべての新規および非自明の組み合わせおよび組合せの構成要素を含む。以下の特許請求の範囲は、新規および非自明と見なされる、ある組み合わせおよび組合せの構成要素を特に指摘する。特徴、機能、要素、および／または性質の他の組み合わせおよび組合せの構成要素は、本出願または関連出願からの優先権を主張する出願で特許請求されてよい。そのような特許請求の範囲も、元の特許請求の範囲より広いか、狭いか、等しいか、または異なるかにかかわらず、本開示の主題内に含まれると見なされる。
【図１】
0003230390.tif 000003
【図２】
0003230390.tif 000004
【図３】
0003230390.tif 000005
【図４】
0003230390.tif 000006
【図５】
0003230390.tif 000007
【図６】
0003230390.tif 000008
【図７】
0003230390.tif 000009
【図８】
0003230390.tif 000010
【図９】
0003230390.tif 000011
【図１０】
0003230390.tif 000012
【図１１】
0003230390.tif 000013
【図１２】
0003230390.tif 000014
【図１３】
0003230390.tif 000015
【図１４】
0003230390.tif 000016
【図１５】
0003230390.tif 000017
【図１６】
0003230390.tif 000018
【図１７】
0003230390.tif 000019
【図１８】
0003230390.tif 000020
【図１９】
0003230390.tif 000021
【図２０】
0003230390.tif 000022
【図２１】
0003230390.tif 000023
【図２２】
0003230390.tif 000024
【図２３】
0003230390.tif 000025
【図２４】
0003230390.tif 000026
【図２５】
0003230390.tif 000027
【図２６】
0003230390.tif 000028
【図２７】
0003230390.tif 000029
【図２８】
0003230390.tif 000030
【図２９】
0003230390.tif 000031
【図３０】
0003230390.tif 000032
【図３１】
0003230390.tif 000033
【図３２】
0003230390.tif 000034
【図３３】
0003230390.tif 000035
【図３４】
0003230390.tif 000036
【図３５】
0003230390.tif 000037
【図３６】
0003230390.tif 000038
【図３７】
0003230390.tif 000039
【図３８】
0003230390.tif 000040
【図３９】
0003230390.tif 000041
【手続補正書】
【提出日】令和2年9月25日(2020.9.25)
【手続補正１】
【補正対象書類名】実用新案登録請求の範囲
【補正対象項目名】全文
【補正方法】変更
【補正の内容】
【実用新案登録請求の範囲】
【請求項１】
固定フック部、前記固定フック部に対向して配置された可動フック部、および前記可動フック部を後退位置と伸長位置との間で動かすように構成されたアクチュエータを有するヒール受けを含むソールと、
第１のヒール部および第２のヒール部であって、前記第１および第２のヒール部の各々は、前記固定フック部と係合するように構成された第１の凹部および前記可動フック部と係合するように構成された第２の凹部を含み、その結果、前記それぞれのヒール部が前記ヒール受けと係合すると、（ａ）前記可動フック部が前記伸長位置にある場合、前記それぞれのヒール部は前記ヒール受けに固着され、（ｂ）前記可動フック部が前記後退位置にある場合、前記それぞれのヒール部は前記ヒール受けから解放可能である、第１のヒール部および第２のヒール部と
を備える履物物品であって、
前記第１のヒール部が前記ソールの前記ヒール受けに固着される第１の構成と、前記第２のヒール部が前記ソールの前記ヒール受けに固着される第２の構成との間を移行可能である、
履物物品。
【請求項２】
前記ヒール受けは前記固定フック部と前記可動フック部との間の第３の凹部をさらに備え、前記第１および第２のヒール部の各々は、前記第１の凹部と前記第２の凹部との間から突出するくさびをさらに備え、その結果、前記くさびは前記ヒール受けの前記第３の凹部と嵌合するように構成される、請求項１に記載の履物物品。
【請求項３】
前記ソールは、アウトソールに結合されたインソールをさらに含み、前記インソールのより厚い部分は、ユーザの中足趾節関節に対応する前記ソールの領域中の前記アウトソールの凹部中に伸びる、請求項１に記載の履物物品。
【請求項４】
前記可動フック部は、前記伸長位置に向かって付勢される、請求項１に記載の履物物品。
【請求項５】
前記可動フック部は、前記ヒール受けの内部空洞によって収容される本体を備え、前記可動フック部は、前記可動フック部の前記本体と前記空洞の壁部との間に伸びる反発性部材によって前記伸長位置に向かって付勢される、請求項４に記載の履物物品。
【請求項６】
前記反発性部材は、前記可動フック部から突出し、前記可動フック部と一体の、１つ以上の反発性指部を備える、請求項５に記載の履物物品。
【請求項７】
前記１つ以上の反発性指部は、前記可動フック部の後面にわたって伸び、その結果、前記１つ以上の反発性指部の遠位端は、前記本体に向かって反発性枢動可能である、請求項６に記載の履物物品。
【請求項８】
前記アクチュエータおよび前記可動フック部は、単一部品として形成され、１対のサイドガイドおよびリテーナバーによってソールの底部に対してガイドおよび保持される、請求項１に記載の履物物品。
【請求項９】
１つ以上のクランプ板によって前記ソールに締め付けられるアッパーをさらに備え、前記１つ以上のクランプ板の各々は、前記アッパー中の対応する開口を介して前記ソール中の対応する第２の嵌合フィーチャと嵌合するように構成された第１の嵌合フィーチャを含む、請求項１に記載の履物物品。
【請求項１０】
前記１つ以上のクランプ板は、前記ソールのトゥ端の対応する横方向凹部に適合するように構成された１対の三日月形クランプ板を含み、その結果、前記１対の三日月形クランプ板は、前記アッパーの前部を前記ソールに固着する、請求項９に記載の履物物品。
【請求項１１】
前記第１の嵌合フィーチャは、前記１つ以上のクランプ板から突出する複数のピンを備え、前記第２の嵌合フィーチャは、前記ソール中の対応する数の凹部または孔を備える、請求項９に記載の履物物品。
【請求項１２】
前記第１の嵌合フィーチャは雌型であり、前記第２の嵌合フィーチャは雄型である、請求項９に記載の履物物品。
【請求項１３】
前記第１および第２の嵌合フィーチャは、接着剤によって互いに固着される、請求項９に記載の履物物品。
【請求項１４】
前記１つ以上のクランプ板の１つは、前記クランプ板を収容するような形状の前記ソールの凹部に適合し、その結果、前記クランプ板の上面は、前記ソールの上面と同一平面になる、請求項９に記載の履物物品。
【請求項１５】
固定フック部、前記固定フック部に対向して配置された可動フック部、および前記可動フック部を後退位置と伸長位置との間で動かすように構成されたアクチュエータを有するヒール受けを含むソールと、
第１のヒール部および第２のヒール部であって、前記第１および第２のヒール部の各々は、前記固定フック部と係合するように構成された第１のリップおよび前記可動フック部と係合するように構成された第２のリップを有する、第１のヒール部および第２のヒール部と
を備える履物物品であって、
前記第１のヒール部が前記ソールの前記ヒール受けに固着される第１の構成と、前記第２のヒール部が前記ソールの前記ヒール受けに固着される第２の構成との間を移行可能である、
履物物品。
【請求項１６】
前記ヒール受けは、前記固定フック部と前記可動フック部との間の凹部をさらに備え、前記第１および第２のヒール部の各々は、前記第１のリップと前記第２のリップとの間で前記それぞれのヒール部から突出するくさびを含み、その結果、前記凹部は前記くさびを収容するように構成される、請求項１５に記載の履物物品。
【請求項１７】
前記第１のヒール部は前記第２のヒール部より背が高く、その結果、前記履物物品は、前記第１の構成にある場合、前記第２の構成に比べて高いヒールの靴を備える、請求項１５に記載の履物物品。
【請求項１８】
前記可動フック部は、前記伸長位置に向かって付勢される、請求項１５に記載の履物物品。
【請求項１９】
前記可動フック部は、前記ヒール受けの内部空洞によって収容される本体を備え、前記可動フック部は、前記可動フック部の前記本体と前記空洞の壁部との間に伸びる反発性部材によって前記伸長位置に向かって付勢される、請求項１８に記載の履物物品。
【請求項２０】
前記反発性部材は、前記可動フック部から突出し、前記可動フック部と一体の、１つ以上の反発性指部を備える、請求項１９に記載の履物物品。
【請求項２１】
前記１つ以上の反発性指部は、前記可動フック部の後面にわたって横方向に伸び、その結果、前記１つ以上の反発性指部の遠位端は、前記本体に向かって反発性屈曲可能である、請求項２０に記載の履物物品。
【請求項２２】
前記アクチュエータおよび前記可動フック部は、単一部品として形成され、１対のサイドガイドおよびリテーナバーによってソールの底部に対してガイドおよび保持される、請求項１５に記載の履物物品。
【請求項２３】
１つ以上のクランプ板によって前記ソールに締め付けられるアッパーをさらに備え、前記１つ以上のクランプ板の各々は、前記アッパー中の対応する開口を介して前記ソール中の対応する第２の嵌合フィーチャと嵌合するように構成された第１の嵌合フィーチャを含む、請求項１５に記載の履物物品。
【請求項２４】
前記１つ以上のクランプ板は、前記ソールのトゥ端の対応する横方向凹部に適合するように構成された１対の三日月形クランプ板を含み、その結果、前記１対の三日月形クランプ板は、前記アッパーの前部を前記ソールに固着する、請求項２３に記載の履物物品。
【請求項２５】
前記第１の嵌合フィーチャは、前記１つ以上のクランプ板から突出する複数のピンを備え、前記第２の嵌合フィーチャは、前記ソール中の対応する数の凹部または孔を備える、請求項２３に記載の履物物品。
【請求項２６】
前記第１の嵌合フィーチャは雌型であり、前記第２の嵌合フィーチャは雄型である、請求項２３に記載の履物物品。
【請求項２７】
前記第１および第２の嵌合フィーチャは、接着剤によって互いに固着される、請求項２３に記載の履物物品。
【請求項２８】
前記１つ以上のクランプ板の１つは、前記クランプ板を収容するような形状の前記ソールの凹部に適合し、その結果、前記クランプ板の上面は、前記ソールの上面と同一平面になる、請求項２３に記載の履物物品。
【請求項２９】
固定フック部、前記固定フック部に対向して配置された可動フック部、および前記可動フック部を後退位置と伸長位置との間で動かすように構成されたアクチュエータを有するヒール受けを含むソールと、
第１のヒール部が前記ヒール受けと係合すると、（ａ）前記可動フック部が前記伸長位置にある場合、前記第１のヒール部は前記ヒール受けに固着され、（ｂ）前記可動フック部が前記後退位置にある場合、前記第１のヒール部は前記ヒール受けから解放可能であるように構成された第１の上部インターフェースを有する第１のヒール部と
を備える履物物品。
【請求項３０】
第２の上部インターフェースを有する第２のヒール部をさらに備え、前記上部インターフェースの各々は、前記固定フック部と係合するように構成された第１のリップおよび前記可動フック部と係合するように構成された第２のリップを備える、請求項２９に記載の履物物品。
【請求項３１】
前記ヒール受けは、前記固定フック部と前記可動フック部との間で突出するくさびをさらに備え、前記第１および第２のヒール部の各々は、前記第１のリップと前記第２のリップとの間の凹部をさらに備え、前記凹部は前記くさびを収容するように構成される、請求項３０に記載の履物物品。
【請求項３２】
前記可動フック部は、前記伸長位置に向かって付勢される、請求項２９に記載の履物物品。
【請求項３３】
前記可動フック部は、前記ヒール受けの内部空洞によって収容される本体を備え、前記可動フック部は、前記可動フック部の前記本体と前記空洞の壁部との間に伸びる反発性部材によって前記伸長位置に向かって付勢され、前記反発性部材は、前記可動フック部から突出し、前記可動フック部と一体の、１つ以上の反発性指部を備える、請求項３２に記載の履物物品。
【請求項３４】
前記１つ以上の反発性指部は、前記可動フック部の後面にわたって伸び、その結果、前記１つ以上の反発性指部の遠位端は、前記本体に向かって反発性枢動可能である、請求項３３に記載の履物物品。
【請求項３５】
１つ以上のクランプ板によって前記ソールに締め付けられるアッパーをさらに備え、前記１つ以上のクランプ板の各々は、前記アッパー中の対応する開口を介して前記ソール中の対応する第２の嵌合フィーチャと嵌合するように構成された第１の嵌合フィーチャを含む、請求項２９に記載の履物物品。
【請求項３６】
前記１つ以上のクランプ板は、前記ソールのトゥ端の対応する横方向凹部に適合するように構成された１対の三日月形クランプ板を含み、その結果、前記１対の三日月形クランプ板は、前記アッパーの前部を前記ソールに固着する、請求項３５に記載の履物物品。
【請求項３７】
前記第１の嵌合フィーチャは、前記１つ以上のクランプ板から突出する複数のピンを備え、前記第２の嵌合フィーチャは、前記ソール中の対応する数の凹部または孔を備える、請求項３５に記載の履物物品。
【請求項３８】
前記第１の嵌合フィーチャは雌型であり、前記第２の嵌合フィーチャは雄型である、請求項３５に記載の履物物品。
【請求項３９】
前記第１および第２の嵌合フィーチャは、接着剤によって互いに固着される、請求項３５に記載の履物物品。
【請求項４０】
前記１つ以上のクランプ板の１つは、前記クランプ板を収容するような形状の前記ソールの凹部に適合し、その結果、前記クランプ板の上面は、前記ソールの上面と同一平面になる、請求項３５に記載の履物物品。
【請求項４１】
前記ソールに対して少なくとも部分的に可動である、前記ソール内に収容された支持シャンクと、
前記支持シャンクの後部に付けられ、前記ヒール受けに近接した前記ソール中の開口を略下方に通るブロックであって、前記開口のヒールからトゥ方向の寸法は、前記ブロックより大きい、ブロックと、
前記第１のヒール部から略上方に突出する第１のくさびと
をさらに備える履物物品であって、
前記履物物品は、前記第１のヒール部が、前記ソールの前記ヒール受けに解放可能に固着され、前記第１のくさびが、前記開口の第１の側に対して第１の長手方向位置に前記支持シャンクの前記ブロックを当接保持する、第１の構成にある、
請求項２９に記載の履物物品。
【請求項４２】
第２のヒール部から略上方に突出する第２のくさびを有する第２のヒール部をさらに備え、
前記履物物品は、前記第１のヒール部が除去され、前記第２のヒール部が前記ソールの前記ヒール受けに固着され、その結果、前記第２のくさびが、前記開口の第２の側に対して第２の長手方向位置に前記支持シャンクの前記ブロックを当接保持する、第２の構成に移行可能である、
請求項４１に記載の履物物品。
【請求項４３】
前記第１のヒール部は前記第２のヒール部より背が高く、その結果、前記履物物品は、前記第１の構成にある場合、前記第２の構成に比べて高いヒールの靴を備える、請求項４２に記載の履物物品。
【請求項４４】
前記第１の長手方向位置は後方位置である、請求項４１に記載の履物物品。
【請求項４５】
前記支持シャンク全体が、前記ソールに対して長手方向に可動である、請求項４１に記載の履物物品。
【請求項４６】
前記支持シャンクの前端部は前記ソールに固着され、その結果、前記支持シャンクの前記前端部は前記ソールに対して固定される、請求項４１に記載の履物物品。
【請求項４７】
前記支持シャンクは、前記ソール中に形成された空洞中に配置される、請求項４１に記載の履物物品。